(57)【要約】【課題】ＩＣタグが紛失することなく、ＩＣタグが固着された部品に製造工程から廃棄に至るまで一貫して管理することができる、ＩＣタグを装着した機械部品を提供する。【解決手段】軸受等の機械部品の表面に凹部を設け、ＩＣタグ１０を挿入した後、樹脂で固定する。【選択図】    図１
2004263724.tif 000002
【特許請求の範囲】
【請求項１】
当該機械部品に固有の情報を記録したＩＣチップと、前記ＩＣチップと電気的に接続されたアンテナとからなるＩＣタグを埋め込んだことを特徴とする機械部品。
【請求項２】
金属製機械部品の表面に凹部を設け、前記ＩＣタグを挿入した後、樹脂で固定したことを特徴とする請求項１記載の機械部品。
【請求項３】
前記機械部品が軸受であることを特徴とする請求項１または２記載の機械部品。
【発明の詳細な説明】
【０００１】
【発明の属する技術分野】
転がり軸受、ジョイント、ハブベアリング、クラッチ等の機械部品にＲＦＩＤ（Ｒａｄｉｏ  Ｆｒｅｑｕｅｎｃｙ  Ｉｄｅｎｔｉｆｉｃａｔｉｏｎ）技術を用いたタグを埋設したもので、機械部品の製造から廃棄に至るまで一貫した管理を行うようにしたものである。
【０００２】
【従来の技術】
ＲＦＩＤ技術は無線によるデータ識別技術またはそれを搭載した認証媒体の総称と定義され、データキャリアとなるＩＣタグと、ＩＣタグリーダ／ライタと、管理用ＰＣなどでＲＦＩＤシステムを構成する。ＩＣタグは、図４に示すように、商品情報などデータを記録したＩＣチップと、小型アンテナとからなり、これをプラスチックカードなどに埋め込んだものがＩＣタグと呼ばれる。ＩＣチップはＩＤ用メモリと通信用の制御回路等を格納したものである。ＩＣタグを対象物に取り付け、無線通信を使ってそれらの情報をリーダ・ライタでピックアップすることにより、交通の管理や商品管理、認証などが可能である。
【０００３】
特開２００１−５６８４７号公報には、金属板に密着されてもアンテナコイルが正常に作動し、かつ、比較的薄く形成することができ、携帯性を損なわないＩＤ用タグ（ＩＣタグ）のことが記載されている。
【０００４】
【特許文献１】
特開２００１−５６８４７号公報（要約）
【０００５】
【発明が解決しようとする課題】
本発明は、ＩＣタグが紛失することなく、ＩＣタグが固着された部品に製造工程から廃棄に至るまで一貫して管理することができる、ＩＣタグを装着した機械部品を提供することを目的とする。
【０００６】
【課題を解決するための手段】
請求項１の発明は、当該機械部品に固有の情報を記録したＩＣチップと、前記ＩＣチップと電気的に接続されたアンテナとからなるＩＣタグを埋め込んだことを特徴とする機械部品である。ＩＣタグを機械部品に埋め込むことにより、このＩＣタグは当該機械部品の一部となり、当該機械部品が廃棄されるまで随伴する。したがって、その機械部品自体の保管や販売にとどまらず、その機械部品を使用する製品の製造工程、さらには廃棄に至るまで、ＩＣタグに記録され、あるいは途中で書き替えられ又は追加された固有情報に基づいて、一貫した管理が可能になる。
【０００７】
請求項２の発明は、請求項１記載の機械部品において、金属製機械部品の表面に凹部を設け、前記ＩＣタグを挿入した後、樹脂で固定したことを特徴とするものである。
【０００８】
請求項３の発明は、請求項１または２記載の機械部品において、前記機械部品が軸受であることを特徴とするものである。
【０００９】
【発明の実施の形態】
以下、本発明の実施の形態を図面に従って説明する。
【００１０】
図１は、機械部品の一例としての深溝玉軸受の断面を示す。この軸受は、内輪２と、外輪４と、複数の玉６と、保持器８とを主要な構成要素としている。内輪２は外周面に軌道２ａを有する。外輪４は内周面に軌道４ａを有する。内輪２の軌道２ａと外輪４の軌道４ａとの間に玉６が転動自在に介在している。玉６は保持器８によって円周方向に所定の間隔に保持される。この実施の形態では、外輪４の端面４ｂにＩＣタグ１０を埋め込んである。
【００１１】
ＩＣタグ１０を埋設する部分としては、負荷荷重が作用しない部分が望ましい。また、軸受単体のみならず、所定箇所に組み込まれて使用されている状態を監視（モニター）する場合には、ＩＣタグのアンテナが外部からの電波を受信できるようにする必要がある。
【００１２】
金属製の機械部品にＩＣタグを埋設する場合、アンテナコイルを金属に密着させると、アンテナコイルに向かって発信された電波により金属板に渦電流が発生し、この渦電流の影響を受けてタグが作動しなくなるおそれがある。したがって、ＩＣタグを構成するＩＣチップとアンテナコイルを樹脂で被覆した上で、金属製部品に埋設する。
【００１３】
図２（Ａ）は機械部品の一例としてのアンギュラ玉軸受の断面を示す。この軸受は、内輪１２と、外輪１４と、複数の玉１６と、保持器１８とを主要な構成要素としている。内輪１２は外周面に軌道１２ａを有する。外輪１４は内周面に軌道１４ａを有する。内輪１２の軌道１２ａと外輪１４の軌道１４ａとの間に玉１６が転動自在に介在している。玉１６は保持器１８によって円周方向に所定の間隔に保持される。この実施の形態では、外輪１４の端面１４ｂにＩＣタグ１０を埋め込んである。図２（Ｂ）は、内輪１２の外周面にＩＣタグ１０を埋設した場合を例示する。
【００１４】
図３は機械部品の一例としての円すいころ軸受の断面を示す。この軸受は、内輪２２と、外輪２４と、複数の円すいころ２６と、保持器２８とを主要な構成要素としている。内輪２２は外周面に軌道２２ａを有する。外輪２４は内周面に軌道２４ａを有する。内輪２２の軌道２２ａと外輪２４の軌道２４ａとの間に円すいころ２６が転動自在に介在している。円すいころ２６は保持器２８によって円周方向に所定の間隔に保持される。この実施の形態では、外輪２４の端面２４ｂにＩＣタグ１０を埋め込んである。
【００１５】
【発明の効果】
本発明によれば、当該機械部品に固有の情報を記録したＩＣタグを埋め込むことにより、このＩＣタグが当該機械部品の出荷から運転、廃棄に至るまで固着された状態が維持されるため、ＩＣタグに記録された情報に基づく在庫管理、出荷管理、流通管理、メンテナンス管理または顧客管理等を構築することができる。たとえば、当該部品が機械に組み込まれた年月を記録しておき、経過時間に基づいて交換の要否を判断することができる。
【００１６】
また、当該機械部品のメーカにおいては、部品番号、材質、製造番号、製造年月日、製造工場、部品の検査成績表、封入グリース名、シール種別などをＩＣタグに記録させておくことにより、工程管理、在庫管理、販売管理等に利用することができる。
【００１７】
たとえば、部品の定期交換や欠陥による交換など、ある時期に製造された部品をロット単位で取り替える場合、該当する部品を装着された機械を特定できなくても、部品に取り付けられたＩＣタグから対象部品を見分けることができ、最小工数で部品を交換することができる。
【００１８】
さらに、ＩＣタグに記録された情報に基づいて真偽を確認することができるため、模倣品や偽物の流通を防止する上で役立つ。販売店が軸受等を購入するときに製造した会社名を明確にすることができ、模造品の防止をすることができる。
【図面の簡単な説明】
【図１】実施の形態を示す深溝玉軸受の断面図である。
【図２】実施の形態を示すアンギュラ玉軸受の断面図である。
【図３】実施の形態を示す円すいころ軸受の断面図である。
【図４】ＩＣタグの構成を例示する略図である。
【符号の説明】
２，１２，２２  内輪
４，１４，２４  外輪
６，１６，２６  玉又はころ
８，１８，２８  保持器
１０  ＩＣタグ
【図１】
2004263724.tif 000003
【図２】
2004263724.tif 000004
【図３】
2004263724.tif 000005
【図４】
2004263724.tif 000006